(57)【要約】【課題】加熱コイルを動作させたときにスピーカ巻線に発生する誘導起電圧を防止し、音声出力手段の破壊を防止できる信頼性の高い炊飯器を提供すること。【解決手段】加熱コイル１に高周波電流を供給するインバータ回路２を制御する制御手段９の出力を受けて音声信号をスピーカ１０に出力する音声信号出力手段１１と、制御手段の信号を受けて音声出力手段への電源経路を遮断または導通するスイッチ回路１７と、音声信号出力手段からスピーカへの信号経路を遮断または導通するスピーカ遮断手段１３とを有し、制御手段は音声を出力しないときはスイッチ回路で音声信号出力手段の電源経路を遮断するとともに、スピーカ遮断手段で音声信号出力手段からスピーカへの信号経路を遮断し、また、音声を出力するときは、スイッチ回路で音声信号出力手段の電源経路を導通すするようにした。【選択図】図１
2010022446.tif 000002
【特許請求の範囲】
【請求項１】
鍋を誘導加熱する加熱コイルと、前記加熱コイルに高周波電流を供給するインバータ回路と、前記インバータ回路を制御する制御手段と、スピーカと、前記制御手段の出力を受けて音声信号をスピーカに出力する音声信号出力手段と、前記制御手段の信号を受けて前記音声出力手段への電源経路を遮断または導通するスイッチ回路と、前記音声信号出力手段から前記スピーカへの信号経路を遮断または導通するスピーカ遮断手段を有し、前記制御手段は音声を出力しないときは前記スイッチ回路で前記音声信号出力手段の電源経路を遮断するとともに、前記スピーカ遮断手段で前記音声信号出力手段から前記スピーカへの信号経路を遮断し、前記制御手段は、音声を出力するときは、前記スイッチ回路で前記音声信号出力手段の電源経路を導通するとともに、前記スピーカ遮断手段で前記スピーカと前記音声信号出力手段の信号経路を接続する誘導加熱式炊飯器。
【請求項２】
音声信号出力手段は、予め記憶した音声データを信号として出力する音声信号記憶回路と、前記音声信号記憶回路の信号の所定以上の高周波成分と所定以下の低周波成分を減衰させるフィルタ回路と、前記フィルタ回路の出力信号を増幅する音声信号増幅回路とで構成され、スイッチ回路は少なくとも前記音声信号増幅回路の電源経路を遮断または導通する請求項１記載の誘導加熱式炊飯器。
【請求項３】
スピーカ遮断手段でスピーカと音声信号出力手段の信号経路を遮断した後、スピーカの入力端子が開放状態にならないように前記入力端子とグランド電位間に抵抗を接続した請求項２記載の誘導加熱式炊飯器。
【請求項４】
音声信号出力手段からスピーカへの電流経路にコンデンサと抵抗の直列回路を配置し、前記スピーカの両端は前記抵抗に並列接続し、制御手段がスイッチ回路を導通状態にした後、スピーカ遮断手段が前記コンデンサと抵抗の直列回路と前記スピーカの信号経路を導通状態にする請求項３記載の誘導加熱式炊飯器。
【請求項５】
スピーカ遮断手段がコンデンサと抵抗からなる直列回路とスピーカの信号経路を遮断した後、制御手段がスイッチ回路を遮断する請求項４記載の誘導加熱式炊飯器。
【請求項６】
音声信号増幅回路はフィルタ回路の出力信号を反転増幅する第１の増幅回路と、前記第１の増幅回路の出力信号を反転増幅する第２の増幅回路を有し、スピーカは一方の入力端子を第１の増幅回路の出力に接続し、もう一方の入力端子を第２の増幅回路に接続し、前記第１の増幅回路と前記第２の増幅回路と音声信号記憶回路の電源電圧を共通にした請求項２または３記載の誘導加熱式炊飯器。
【請求項７】
制御手段と音声信号出力手段の通信はインバータ回路停止時に行う請求項１〜６いずれか１項記載の誘導加熱式炊飯器。
【発明の詳細な説明】
【技術分野】
【０００１】
本発明は、一般家庭あるいは業務用に使用した誘導加熱式炊飯器および誘導加熱式調理器に関するものである。
【背景技術】
【０００２】
従来、音声報知を備えた調理器では、音声合成装置を含めた音声出力部に特定の期間のみ電力を供給することで、消費電力低減、スピーカノイズ防止をしているものがあった（例えば、特許文献１参照）。
【特許文献１】特開昭５９−４８２８号公報
【発明の開示】
【発明が解決しようとする課題】
【０００３】
しかしながら、前記従来の構成で誘導加熱式炊飯器を実現しようとすると、加熱コイルに高周波電流が流れているときにスピーカの巻線に前記加熱コイルからの高周波磁界が伝播し、前記スピーカの巻線に誘導起電圧が発生し、前記音声信号出力手段の電源がオフの時に、この誘導起電圧が前記音声信号出力手段の最大電圧定格を超え、前記音声信号出力手段を破壊するという課題があった。
【０００４】
なお、前記音声信号出力手段の電源がオンしているときは、前記音声信号出力手段の出力端子は前記電源の中間電位、またはハイ、またはローに固定されているので、前記スピーカの巻線に誘導起電圧が発生しても、前記音声信号出力手段の最大電圧定格を越えることはないので、前記スピーカの誘導起電圧で前記音声信号出力手段が壊れないようにするためには前記音声信号出力手段の電源をオンし続ける必要があった。
【０００５】
この場合、音声を出力しない時でも電力を消費することになり、省電力化できないという課題と、前記加熱コイルに高周波電流が流れたときに発生する高周波磁界により、前記スピーカからノイズ音が発生するという課題を有することになった。
【０００６】
また、前記音声信号出力手段の電源をオフにし、かつ前記音声信号出力手段が破壊しないようにするためには、前記スピーカの巻線に発生する誘導起電圧を小さくする必要があった。誘導起電圧を小さくするためには、前記スピーカを前記加熱コイルから十分に離す必要があるので、前記加熱コイル近傍にスピーカを配置することができなくなり、有効な空間を利用できなくなり、機器の小型化が難しいという課題があった。
【０００７】
本発明は、前記従来の課題を解決するもので、スピーカを加熱コイル近傍に配置しても音声信号出力手段が壊れない安全でコンパクトで省エネな誘導加熱式炊飯器を提供することを目的とする。
【課題を解決するための手段】
【０００８】
前記従来の課題を解決するために、本発明の誘導加熱式炊飯器は、鍋を誘導加熱する加熱コイルと、前記加熱コイルに高周波電流を供給するインバータ回路と、前記インバータ回路を制御する制御手段と、スピーカと、前記制御手段の出力を受けて音声信号をスピーカに出力する音声信号出力手段と、前記制御手段の信号を受けて前記音声出力手段への電源経路を遮断または導通するスイッチ回路と、前記音声信号出力手段から前記スピーカへの信号経路を遮断または導通するスピーカ遮断手段を有し、前記制御手段は音声を出力しないときは前記スイッチ回路で前記音声信号出力手段の電源経路を遮断するとともに、前記スピーカ遮断手段で前記音声信号出力手段から前記スピーカへの信号経路を遮断し、前
記制御手段は、音声を出力するときは、前記スイッチ回路で前記音声信号出力手段の電源経路を導通するとともに、前記スピーカ遮断手段で前記スピーカと前記音声信号出力手段の信号経路を接続したものである。
【０００９】
これによって、前記音声信号出力手段の電源をオフしたときには、前記加熱コイルに高周波磁界で前記スピーカの巻線に誘導起電圧が発生しても、前記スピーカ遮断手段が前記スピーカの入力端子を前記音声信号出力手段の出力端子から遮断しているので、前記音声信号出力手段の最大定格電圧を超えることがなくなり、信頼性の高い誘導加熱式炊飯器を提供できる。
【発明の効果】
【００１０】
本発明の誘導加熱式炊飯器は、音声信号出力手段の電源供給を停止したときに、加熱コイルの磁界によりスピーカに誘導起電力が発生しても、前記音声信号出力手段の破壊を防ぐことができる。
【発明を実施するための最良の形態】
【００１１】
第１の発明の誘導加熱式炊飯器は、鍋を誘導加熱する加熱コイルと、前記加熱コイルに高周波電流を供給するインバータ回路と、前記インバータ回路を制御する制御手段と、スピーカと、前記制御手段の出力を受けて音声信号をスピーカに出力する音声信号出力手段と、前記制御手段の信号を受けて前記音声出力手段への電源経路を遮断または導通するスイッチ回路と、前記音声信号出力手段から前記スピーカへの信号経路を遮断または導通するスピーカ遮断手段を有し、前記制御手段は音声を出力しないときは前記スイッチ回路で前記音声信号出力手段の電源経路を遮断するとともに、前記スピーカ遮断手段で前記音声信号出力手段から前記スピーカへの信号経路を遮断し、前記制御手段は、音声を出力するときは、前記スイッチ回路で前記音声信号出力手段の電源経路を導通するとともに、前記スピーカ遮断手段で前記スピーカと前記音声信号出力手段の信号経路を接続することにより、前記音声信号出力手段の電源をオフしたときには、前記加熱コイルに高周波磁界で前記スピーカの巻線に誘導起電圧が発生するが、前記スピーカ遮断手段が前記スピーカの入力端子を前記音声信号出力手段の出力端子から遮断しているので、前記音声信号出力手段の最大定格電圧を超えることがなくなり、前記音声信号出力手段の破壊を防止できるとともに、前記音声信号出力手段の電源をオフすることができるので省電力化を実現できる。
【００１２】
また、誘導起電圧が前記音声信号出力手段を破壊することを防止できるので、前記スピーカを前記加熱コイルの近傍に配置することが可能となり、コンパクトな音声機能を備えた誘導加熱式炊飯器を提供できる。
【００１３】
第２の発明は、特に、第１の発明の音声信号出力手段を、予め記憶した音声データを信号として出力する音声信号記憶回路と、前記音声信号記憶回路の信号の所定以上の高周波成分と所定以下の低周波成分を減衰させるフィルタ回路と、前記フィルタ回路の出力信号を増幅する音声信号増幅回路で構成し、スイッチ回路は少なくとも前記音声信号増幅回路の電源経路を遮断または導通するにより、前記音声信号増幅回路の電源電圧を前記制御手段または前記音声信号記憶回路の電源電圧に関係なく設定できることとなり、前記スピーカに入力する電力を大きくすることが可能となり、音量を大きくできるので耳の悪い使用者や、調理中の騒音の中でも、音声を聞き取ることができる。
【００１４】
また、音声を出力しないときは、前記音声信号増幅回路の電源供給を停止するので、前記音声信号増幅回路の入力部分に前記加熱コイルの高周波磁界がノイズとなって重畳しても、前記スピーカからノイズ音となって出力されることがない。
【００１５】
第３の発明は、特に第２の発明のスピーカ遮断手段でスピーカと音声信号出力手段の信
号経路を遮断した後、スピーカの入力端子が開放状態にならないように前記入力端子とグランド電位間に抵抗を接続したことにより、加熱コイルで鍋を誘導加熱するさいに生じる電磁誘導によりスピーカのコイルに誘導起電力が発生しても、この抵抗で誘導起電力を消費させることができるので、スピーカやスピーカ遮断手段を構成する電子部品に過電圧が印加されることを防ぐことができ、スピーカやスピーカ遮断手段の故障を防ぐことができる。
【００１６】
第４の発明は、特に第３の発明の音声信号出力手段からスピーカへの電流経路にコンデンサと抵抗の直列回路を配置し、前記スピーカの両端は前記抵抗に並列接続し、制御手段がスイッチ回路を導通状態にした後、スピーカ遮断手段が前記コンデンサと抵抗の直列回路と前記スピーカの信号経路を導通状態にすることにより、前記音声信号出力手段の電源が立ち上がった状態で、前記スピーカの電流経路を通電することになるので、前記スピーカの電流経路を接続する前に前記コンデンサの充電電流が流れることになり、前記コンデンサの充電電流が前記スピーカからノイズ音となって出力されるのを防止することができる。
【００１７】
従って、使用者に不快感を与えない聞きやすい音声ガイドを有する誘導加熱炊飯器を提供できる。
【００１８】
第５の発明は、特に第４の発明のスピーカ遮断手段がコンデンサと抵抗からなる直列回路とスピーカの信号経路を遮断した後、制御手段がスイッチ回路を遮断することにより、前記スイッチ回路を遮断したあと、前記音声信号発生手段の電源電圧が変動し、この電圧変動がノイズ音となって使用者に聞こえるのを防止することができる。
【００１９】
従って、前記音声信号出力手段の電源をオフする際に使用者に不快感を与えない聞きやすい音声ガイドを有する誘導加熱炊飯器を提供することができる。
【００２０】
第６の発明は、特に第２または第３の発明の音声信号増幅回路は、フィルタ回路の出力信号を反転増幅する第１の増幅回路と、前記第１の増幅回路の出力信号を反転増幅する第２の増幅回路を有し、スピーカは一方の入力端子を第１の増幅回路の出力に接続し、もう一方の入力端子を第２の増幅回路に接続し、前記第１の増幅回路と前記第２の増幅回路と音声信号記憶回路の電源電圧を共通にすることにより、前記第１の増幅回路と前記第２の増幅回路と前記音声信号記憶回路の電源経路を一度に遮断できるので省電力化を実現できる。
【００２１】
また、前記第１の増幅回路の出力と前記第２の増幅回路の出力が反転するので、前記スピーカに入力される電圧は、殆ど前記二つの増幅回路に供給される電源電圧と同じになり、小さい電源電圧でも十分な電力を前記スピーカに供給することができる。
【００２２】
従って、前記制御手段と前記音声信号記憶回路と前記音声信号増幅回路の電源を一つにすることが可能となり、回路部品を少なくし、実装面積を小さくすることができる。
【００２３】
第７の発明は、特に第１から第６いずれかの発明の制御手段と音声信号出力手段の通信をインバータ回路停止時に行うことにより、前記インバータ回路が動作した時に加熱コイルから発生する高周波磁界の影響で通信が乱れ、音声が出力しないといった不具合を防ぐことができるので、信頼性の高い誘導加熱式炊飯器を提供できる。
【００２４】
以下、本発明の実施の形態について、図面を参照しながら説明する。なお、この実施の形態によって本発明が限定されるものではない。
【００２５】
（実施の形態１）
図１において、１は鍋を加熱する加熱コイルで、特に図示しないが線径の小さい銅線を束ねたリッツ線で構成されている。
【００２６】
２はインバータ回路で、特に図示しないがＩＧＢＴからなる半導体スイッチング素子と、この半導体スイッチング素子に逆接続したダイオードと、加熱コイルと共振回路を構成する共振用コンデンサで構成されており、半導体スイッチング素子が高周波でスイッチングすることで高周波電流を加熱コイル１に供給している。
【００２７】
ダイオードブリッジ３とチョークコイル４とコンデンサ５は商用電源６を整流し、インバータ回路２に電力を供給している。
【００２８】
７は入力手段で、複数のモーメンタリスイッチで構成されており、使用者が炊飯方法や炊飯の開始または停止などを選択することができる。
【００２９】
８は表示手段で、液晶ディスプレイやＬＥＤで構成されており、使用者が設定した内容や、炊飯中、予約中などの炊飯器の状態や、炊飯の経過時間を表示する。
【００３０】
９は制御手段で、特に図示していないが、マイクロコンピュータや、鍋の温度を測定するサーミスタや、商用電源６から供給される電流の値を検知するカレントトランスなどで構成されており、入力手段７を構成するスイッチの入力信号を受けて、ＬＣＤに設定した内容を表示したり、インバータ回路２をオンオフ制御して、入力手段７で設定された炊飯シーケンス、保温シーケンスを動作させたりする。
【００３１】
１０はスピーカで、ここでは巻線と磁石を用いて、巻線に流れる電流と磁石の磁界でコイルを振動させるタイプを用いている。
【００３２】
なお、本実施の形態ではスピーカに流す電流を小さくするために、スピーカのインピーダンスを８Ωより大きくしている。なお、スピーカ１０の入力端子の一方はグランド電位に接続している。
【００３３】
１１は音声信号出力手段で、特に図示していないが音声データを４ｂｉｔデータとして記憶したメモリと、前記メモリから出力されるデジタル信号をアナログ信号に変換するＤＡ変換器で構成されている。
【００３４】
本実施の形態では、メモリとＤＡ変換器を別々に構成しているが、この二つを一つのＩＣにした音声合成ＩＣで構成しても構わない。
【００３５】
１２は直流成分カット用のコンデンサで、スピーカ１０に直流電圧が印加しないようにしている。
【００３６】
１３はスピーカ遮断手段で、一般的にアナログスイッチといわれるＩＣで構成され、コンデンサ１２からスピーカ１０への信号経路を遮断したり導通したりする。
【００３７】
制御手段９がハイまたはローの信号を出力することで、アナログスイッチがオンオフし、スピーカ１０の入力端子に接続したり、遮断したりする。
【００３８】
なお、本実施の形態では、スピーカ遮断手段１３にアナログスイッチを用いているが、これは一例であり、限定するものではない。
【００３９】
抵抗１８と抵抗１９はスピーカ遮断手段１３が信号経路を遮断しているときにコンデンサ１２とスピーカ１０の電位を固定するために接続している。
【００４０】
１４は駆動手段で、特に図示していないが、本実施の形態では、ＰＮＰトランジスタとＮＰＮトランジスタからなるプッシュプル回路で構成されおり、制御手段９のオンオフ信号を受けてインバータ回路２を構成するＩＧＢＴをオンオフする。
【００４１】
１５は第１の直流電源で、スイッチング電源で構成され、商用電源６を整流し、整流された約１４１Ｖの直流電源を約２０Ｖの直流電源に変換している。
【００４２】
第１の直流電源１５の出力電圧２０ＶはＩＧＢＴをオンするために必要な電圧で、駆動手段１４を介してＩＧＢＴに供給され、ＩＧＢＴはオンする。
【００４３】
１６は第２の直流電源で、特に図示しないが、ＮＰＮトランジスタとツェナーダイオードなどからなるエミッタフォロア回路の構成となっている。
【００４４】
第２の直流電源１６の電圧は約５Ｖで制御手段９を構成するマイクロコンピュータ、音声信号出力手段１１の電源となっている。
【００４５】
１７はスイッチ回路で、特に図示していないが本実施の形態では、ＰＮＰトランジスタとＮＰＮトランジスタで構成されており、制御手段９の信号を受けてオンオフし、第１の直流電源１５から音声信号出力手段１１への電流経路を遮断したり、導通したりし、音声信号出力手段１１をオンオフする。
【００４６】
図２は炊飯器の要部構成を示し、図面を簡潔にするために、電気的接続のためのリード線や、部品を固定するためのネジは省略している。
【００４７】
炊飯器のボディ（本体）３１には、その上面を覆う蓋３２が開閉自在に設置されている。ボディ３１の収納部３３は、その底部に渦巻き状に構成された加熱コイル１を配設し、加熱コイル１の外周側にフェライトコア３４を配設する。
【００４８】
加熱コイル１は鍋３５の底部の略中心に中心を有する巻線である。
【００４９】
鍋３５は、ステンレス、鉄、銅などの磁性体によって形成されたクラッド鋼板を材料としている。そして、この鍋３５は、上端開口部に外側にせり出したフランジを収納部３３の上端から浮き上がった状態で載置することにより、着脱自在に収納される。
【００５０】
従って、鍋３５は収納時に、収納部３３との間に隙間を有する。
【００５１】
蓋３２に着脱自在に配備した蓋加熱板３６は、ステンレスなどの金属で形成されている。３７は特に図１では記載していないが蓋加熱コイルで、蓋３２に内蔵され、本実施の形態では、蓋加熱板３６を誘導加熱する。ただし、これは一例で別に蓋加熱コイル３７をヒータにしても構わない。
【００５２】
３８は第１の回路基板で、入力手段７を構成するスイッチ、表示手段８を構成するＬＣＤ、ＬＥＤ、制御手段９を構成するマイクロコンピュータ、音声信号出力手段１１を構成する音声合成ＩＣや、コンデンサ１２などが実装されている。
【００５３】
３９は第２の回路基板で、特に図示しないが、インバータ回路２を構成する部品や、ダイオードブリッジ３、チョークコイル４、コンデンサ５などが実装されている。
【００５４】
４０は巻き取り式の電源コード収納部で、第２の回路基板３９にリード線を介して電気的に接続している。
【００５５】
電源コード収納部４０はストッパーとばねを用いて電源コードを巻き取ることを可能にしている。
【００５６】
４１は温度検知手段で、特に図１に図示していないが、サーミスタで構成され、鍋３５の底部の略中心に配置されている。
【００５７】
前記サーミスタは温度で抵抗値が変わるので、このサーミスタと所定の抵抗値を有する抵抗で分圧回路を構成し、所定の電圧をこの分圧回路の両端に供給することで、前記サーミスタの抵抗値をアナログ電圧に変換できる。
【００５８】
図１に示した制御手段９を構成するマイクロコンピュータは、内蔵されたＡＤ変換器を用いてこのアナログ電圧から温度を推定する。
【００５９】
第１の回路基板３８と第２の回路基板３９は、特に図示しないが、リード線で電気的に接続しており、図１に示した回路構成を実現している。
【００６０】
図２に示すように、スピーカ１０は炊飯器のボディ３１と加熱コイル１の間にできる隙間を利用して配置され、出力面が下向きに配置されている。
【００６１】
なお、スピーカ１０の向きや配置場所については、特に限定するものではなく、出力面を上向きにしても良いし、スペースがあるのであれば、蓋３２に配置してもかまわないものである。
【００６２】
図３は本実施の形態の炊飯器において、音声出力時の主要部のタイミングチャートを示している。
【００６３】
（１）は商用電源６の電圧波形を示している。
【００６４】
（２）は商用電源６の０Ｖに同期してハイまたはローを出力する波形を示している（図１には特に図示していない）。
【００６５】
（３）はスイッチ回路１７のオン（導通）、オフ（遮断）状態を示している。
【００６６】
（４）は音声信号出力手段１１の電源電圧波形を示している。
【００６７】
（５）は制御手段９から音声信号出力手段１１への送信信号波形を示している。
【００６８】
（６）はスピーカ遮断手段１３のオン（導通）、オフ（遮断）を示している。
【００６９】
（７）はスピーカ１０の入力電圧を示している。
【００７０】
（８）はインバータ回路２を構成するＩＧＢＴのオンオフ状態（駆動手段１４のオンオフ状態）を示している。
【００７１】
図４は本実施の形態の炊飯器において、加熱コイル１に高周波電流が流れているときの各部の動作波形を示している。
【００７２】
（１）は加熱コイル１に流れる高周波電流の包絡線を示している。
【００７３】
（２）は加熱コイル１に高周波電流が流れたときのスピーカ１０に生じる誘導起電圧波形を示している。
【００７４】
なお、この波形は、スピーカ短絡手段１３がオンしたときの誘導起電圧波形を示している。
【００７５】
（３）は加熱コイル１に高周波電流が流れたときのスピーカ１０に生じる誘導起電圧波形を示している。
【００７６】
なお、この波形は、スピーカ短絡手段１３がオフしたときの誘導起電圧波形を示している。
【００７７】
本実施の形態の誘導加熱式炊飯器について、図１〜図４を用いて動作、作用を説明する。
【００７８】
まず、使用者が図２の第一の回路基板３９に備えられたスイッチ（入力手段７）を操作すると、制御手段９が入力手段７の信号を検知する。
【００７９】
すると、図３のＴ０では、制御手段９は商用電源６のゼロ電圧に同期して、スイッチ回路１７をオン状態にし、音声信号出力手段１１へ直流電圧を供給する。
【００８０】
同時に、制御手段９は商用電源６のゼロ電圧に同期して、スピーカ遮断手段１３にオン信号を出力し、スピーカ遮断手段１３は導通状態となり、スピーカ１０に信号入力することができるようにする。
【００８１】
なお、音声信号出力手段１１への直流電圧の立ち上がり時の変化量がコンデンサ１２を介してスピーカ１０に印加され、ノイズ音となって出力されることがある。
【００８２】
その後、図３のＴ２で、制御手段９は商用電源６のゼロ電圧に同期して、音声信号出力手段１１に音量設定データを送信する。
【００８３】
その後、図３のＴ３で、制御手段９は商用電源６のゼロ電圧に同期して所定の音声データを示したアドレスデータを、音声信号出力手段１１に送信する。
【００８４】
すると、図３のＴ４で、音声信号出力手段１１を構成するメモリが制御手段９からの送信データに基づいて、所定の音声のデジタルデータをＤＡ変換器に出力し、このＤＡ変換器がアナログ電圧に変換された音声信号を出力し、コンデンサ１２を介して、スピーカ１０に音声信号が入力される。
【００８５】
スピーカ１０は音声信号が入力されると、振動し、この振動が音声となって、使用者に音声報知する。このとき、ＤＡ変換器から出力される音声信号の直流成分がコンデンサ１２で除去されている。
【００８６】
図３のＴ５では、入力手段７で設定されたメニューに従って、制御手段９が駆動手段１４を介してインバータ回路２を構成するＩＧＢＴのオンオフ制御を開始し、加熱コイル１に高周波電力を供給し、鍋を加熱する。
【００８７】
図３のＴ６で、音声出力が終了し、第２の直流電源１６の出力電圧が元の値に戻る。
【００８８】
その後、図３のＴ８で、制御手段９がスイッチ回路１７を遮断し、音声信号出力手段１１への電力供給を停止するとともに、スピーカ遮断手段１３をオフし、スピーカ１０の入力端子とコンデンサ１２の信号経路を遮断する。
【００８９】
その後、加熱コイル１は鍋を加熱し炊飯するために決まった炊飯シーケンスに従い動作し続ける。
【００９０】
スピーカ遮断手段１３がない場合、音声信号出力手段への電源供給が０Ｖになると、加熱コイル１に高周波電流が流れるときにスピーカ１０に生じる誘導起電圧が音声信号出力手段１１の電源電圧を超え、音声信号出力手段１１を構成するＤＡ変換器の保護ダイオードに電流が流れ、図４（３）に示すようにスピーカ１０の誘導起電圧がクランプされた電圧波形がスピーカ１０の端子に出力されるが、スピーカ遮断手段１３を用いてスピーカ１０の入力端子とコンデンサ１２の信号経路を遮断すると、スピーカ１０の誘導悸電圧が音声信号出力手段１１に印加しなくなる。
【００９１】
また、スピーカ遮断手段１３によりスピーカ１０とコンデンサ１２の信号経路を遮断するとスピーカ１０と抵抗１９だけの回路になると誘導起電圧が抵抗１９で消費されるので、スピーカ１０に発生する誘導起電圧が小さくなり、スピーカ遮断手段１３を構成するアナログスイッチなどの部品の電圧定格を小さいものにできる。
【００９２】
また、音声信号出力手段１１への電力供給も停止するので、消費電力が低減し、第１の直流電源１５と第２の直流電源１６の発熱を抑えることができる。
【００９３】
また、本実施の形態では、制御手段９は予め、音声データの時間を記憶しているので、その時間から所定時間を経過したら、スイッチ回路１７を遮断するようにしている。
【００９４】
スイッチ回路１７の遮断タイミングを音声データの時間より十分に遅くするのは、音声信号出力手段１１の出力する音声信号の速度にバラツキがあるためである。
【００９５】
以上のように、音声を出力しないときは、スピーカの入力端子と音声信号出力手段の信号経路を遮断するスピーカ遮断手段を設けることで、加熱コイルに高周波電流が流れる際にスピーカに生じる誘導起電圧が音声信号出力手段に印加されるのを防止することができるので、音声信号出力手段の電源電圧をオフしても、スピーカの誘導起電圧が音声信号出力手段の最大定格を超えることがなくなり、故障がない省電力化した炊飯器を提供できるものである。
【００９６】
また、スピーカに生じる誘導起電圧を防止できるので、スピーカを加熱コイル近傍に配置することが可能になり、コンパクトな炊飯器を実現できる。
【００９７】
（実施の形態２）
図５において、５１は音声信号出力手段で、音声データを４ｂｉｔデータとして記憶したメモリ５２（音声信号記憶回路）と、メモリ５２から出力されるデジタル信号をアナログ信号に変換するＤＡ変換器５３と、ＤＡ変換器５３の出力信号の低周波成分を減衰させるハイパスフィルタ５４と、高周波成分を減衰させるローパスフィルタ５５で構成されたフィルタ回路５６と、フィルタ回路５６の出力電圧を所定の倍率で増幅する音声信号増幅回路５７で構成されている。
【００９８】
なお、本実施の形態では、ハイパスフィルタ５４は抵抗とコンデンサの直列回路で構成
され、ローパスフィルタ５５は抵抗とコンデンサの並列回路で構成されているが、これは一例であり、例えば専用のＩＣを用いてデジタルフィルタの構成にしても構わない。
【００９９】
また、本実施の形態では、メモリ５２とＤＡ変換器５３を別々に構成しているが、この二つを一つのＩＣにした音声合成ＩＣで構成しても構わない。
【０１００】
音声信号増幅回路５７は、集積回路化されたオペアンプＩＣと、複数の抵抗で構成されている。
【０１０１】
５８は第２の直流電源で、特に図示しないが、ＮＰＮトランジスタを用いたエミッタフォロア回路で構成されており、メモリ５２とＤＡ変換器５３に約５Ｖの直流電源を供給している。
【０１０２】
５９は第３の直流電源で、特に図示しないが、第２の直流電源５８と同じエミッタフォロア回路の構成になっており、出力電圧は約１０Ｖとなっている。
【０１０３】
第３の直流電源５９はスイッチ回路１７が導通状態になると、第１の直流電源１５より電力を供給され、約１０Ｖの直流電圧を出力する。なお、本実施の形態で第３の直流電源５９は、音声信号増幅回路５７を構成するオペアンプに直流電圧を供給している。
【０１０４】
６０はスイッチ回路で、制御手段９からの信号を受けて、第１の直流電源１５から第３の直流電源５９への電流経路を導通したり、遮断したりする。
【０１０５】
スイッチ回路６０の回路構成は図１のスイッチ回路と同様の構成なので、ここでの説明は省略する。
【０１０６】
その他の構成は、本発明の第１の形態の炊飯器と同じであり、具体的説明は実施の形態１のものを援用する。
【０１０７】
以上のように、本実施の形態では、音声信号出力手段５１をメモリ５２とＤＡ変換器５３とフィルタ回路５６と音声信号増幅回路５７で構成することにより、音声信号増幅回路５７の電源電圧を大きくし、スピーカ１０に入力する電圧を大きくすることができる。
【０１０８】
また、フィルタ回路５６を設けることで、ＤＡ変換時のノイズ音や音声データに含まれていたノイズ音を低減するので、聞きやすい音声を出力することができる。
【０１０９】
また、音声を出力しないときはスイッチ回路６０が第１の直流電源１５から第３の直流電源５９への電流経路をオフするので、第３の直流電源５９と音声信号増幅回路５７に電流が流れなくなり、省電力化をすることができる。
【０１１０】
また、スピーカ１０への電力供給がなくなるので、ノイズ音を防止することができる。
【０１１１】
なお、本発明の第１の実施の形態と同様に、音声信号増幅回路５７の電源オフ時に、スピーカ遮断手段１３がスピーカ１０の入力端子と音声信号増幅回路５７の信号経路を遮断するので、加熱コイル１に高周波電流が流れ、高周波磁界が発生しても、スピーカ１０の巻線に生じる誘導起電圧が音声信号増幅回路５７の最大定格を超えることはない。
【０１１２】
従って、ノイズ音の少ない聞きやすい音声を大音量で出力することができ、省電力化ができる信頼性の高い炊飯器を提供できる。
【０１１３】
（実施の形態３）
図６は本発明の第３の実施の形態における炊飯器の音声出力時の主要部のタイミングチャートを示している。なお、本実施の形態の炊飯器の主要部回路構成は、図５と同様であるので、ここでの説明は実施の形態１のものを援用する。
【０１１４】
（１）は商用電源６の電圧波形を示している。
【０１１５】
（２）は商用電源６の０Ｖに同期してハイまたはローを出力する波形を示している（図１には特に図示していない）。
【０１１６】
（３）はスイッチ回路６０のオン（導通）、オフ（遮断）状態を示している。
【０１１７】
（４）は第３の直流電源５９の出力電圧波形を示している。
【０１１８】
（５）は制御手段９から音声信号出力手段５１への送信信号波形を示している。
【０１１９】
（６）はスピーカ遮断手段１３のオン（導通）、オフ（遮断）を示している。
【０１２０】
（７）はスピーカ１０の入力電圧を示している。
【０１２１】
（８）はインバータ回路２を構成するＩＧＢＴのオンオフ状態（駆動手段１４のオンオフ状態）を示している。
【０１２２】
本実施の形態の誘導加熱式炊飯器について、図２、図５、図６を用いて動作、作用を説明する。
【０１２３】
まず、使用者が図２の第一の回路基板３９に備えられたスイッチ（入力手段７）を操作すると、制御手段９が入力手段７の信号を検知する。
【０１２４】
すると、図６のＴ０では、制御手段９は商用電源６のゼロ電圧に同期して、スイッチ回路６０をオン状態にし、第３の直流電源５９を起動し、音声信号増幅回路５７へ直流電圧を供給する。
【０１２５】
この直流電圧の立ち上がり時の変動がコンデンサ１８を介してスピーカ１０に印加され、ノイズ音となって出力されることがある。
【０１２６】
しかし、本実施の形態では、スピーカ遮断手段１３がオフすることで、スピーカ１０への信号入力を防止することになり、ノイズ音が低減される。
【０１２７】
その後、図６のＴ１で、制御手段９は商用電源６のゼロ電圧に同期して、スピーカ遮断手段１３にオフ信号を出力し、スピーカ遮断手段１３はオフ状態となり、スピーカ１０に信号入力することができるようになる。
【０１２８】
その後、図６のＴ２で、制御手段９は商用電源６のゼロ電圧に同期して、音声信号出力手段５１に音量設定データを送信する。
【０１２９】
その後、図６のＴ３で、制御手段９は商用電源６のゼロ電圧に同期して所定の音声データを示したアドレスデータを、音声信号出力手段５１に送信する。
【０１３０】
すると、図６のＴ４で、メモリ５２が制御手段９からの送信データに基づいて、所定の
音声のデジタルデータをＤＡ変換器５３に出力し、ＤＡ変換器５３がアナログ電圧に変換された音声信号を出力し、フィルタ回路５６、音声信号増幅回路５７、コンデンサ１２を介して、スピーカ１０に音声信号が入力される。
【０１３１】
スピーカ１０は音声信号が入力されると、振動し、この振動が音声となって、使用者に音声報知する。
【０１３２】
このとき、この音声信号の低周波成分はハイパスフィルタ５４で減衰され、高周波成分はローパスフィルタ５５で減衰される。減衰された音声信号が音声信号増幅回路５７で増幅され、増幅された音声信号の直流成分がコンデンサ１２で除去されている。
【０１３３】
音声信号が出力されると、第３の直流電源５９の電圧が約０．２Ｖ低下するが、第２の直流電源５８の電圧は変動しないので、制御手段９を構成するＡＤ変換器の基準電圧は変動しない。
【０１３４】
従って、鍋の温度検知、入力電流の検知、商用電源の電圧検知など、ＡＤ変換器を利用した検知手段への影響を防止することができる。
【０１３５】
図６のＴ５では、入力手段７で設定されたメニューに従って、制御手段９が駆動手段１４を介してインバータ回路２を構成するＩＧＢＴのオンオフ制御を開始し、加熱コイル１に高周波電力を供給し、鍋を加熱する。
【０１３６】
図６のＴ６で、音声出力が終了し、第３の直流電源５９の出力電圧が元の値に戻る。
【０１３７】
図６のＴ７では、制御手段９がスピーカ遮断手段１３にオフ信号を出力し、スピーカ遮断手段１３がスピーカ１０の入力端子とコンデンサ１２の間の信号経路を遮断状態にする。
【０１３８】
その後、図６のＴ８で、制御手段９がスイッチ回路６０をオフ状態にし、第１の直流電源１５から第３の直流電源５９への電流経路を遮断することで、第３の直流電源５９の電力供給を停止する。
【０１３９】
第３の直流電源５９の出力電圧は徐々に低下していく。この電圧変化がコンデンサ１２を介してスピーカ１０に印加され、ノイズ音となることがある。
【０１４０】
しかし、本実施の形態ではスピーカ遮断手段１３がスピーカ１０の入力端子とコンデンサ１２の信号経路を遮断しているので、スピーカ１０に信号は入力されずノイズ音は発生しないことになる。
【０１４１】
従って、音声信号増幅回路５７の電源をオンオフするときにノイズ音が発生しないことになり、ノイズ音により使用者が不快に感じることを低減できる。
【０１４２】
この時スピーカ遮断手段１３がない場合、音声信号増幅回路５７への電源供給が０Ｖになると、加熱コイル１に高周波電流が流れるときにスピーカ１０に生じる誘導起電圧が音声信号増幅回路５７の電源電圧を超え、音声信号増幅回路５７を構成するオペアンプＩＣの保護ダイオードに電流が流れ、図４（３）に示すようにスピーカ１０の誘導起電圧がクランプされた電圧波形がスピーカ１０の端子に出力されるが、スピーカ遮断手段１３を用いてスピーカ１０の入力端子とコンデンサ１２を遮断すると、音声信号増幅回路５７に誘導起電圧が印加するのを防止できる。
【０１４３】
また、第３の直流電源５９が停止するので、音声信号増幅回路５７への電力供給も停止することになり、消費電力が低減し、第１の直流電源１５と、第３の直流電源５９の発熱を抑えることができる。
【０１４４】
また、本実施の形態では、制御手段９は予め、音声データの時間を記憶しているので、その時間から所定時間を経過したら、スイッチ回路６０を遮断するようにしている。
【０１４５】
スイッチ回路６０の遮断タイミングを音声データの時間より十分に遅くするのは、音声信号出力手段５１の出力する音声信号の速度にバラツキがあるためである。
【０１４６】
以上のように、音声信号増幅回路５７の電源をオンオフする時に、スピーカ遮断手段１３をオフしておくことで、電源電圧の変動電圧分がコンデンサ１２を介してスピーカ１０に印加するのを防止することができ、スピーカ１０からノイズ音が出るのを防止できる。
【０１４７】
また、音声を出力しないときは、スピーカ１０の入力端子とコンデンサ１２の信号経路を遮断するスピーカ遮断手段１３を設けることで、加熱コイル１に高周波電流が流れる際にスピーカ１０に生じる誘導起電圧が音声信号増幅回路１７に印加されるのを防止することができるので、音声信号増幅回路１７の電源電圧をオフしても、スピーカ１０の誘導起電圧が音声信号増幅回１７路の最大定格を超えることがなくなり、故障がない省電力化した炊飯器を提供できる。
【０１４８】
また、スピーカ１０に生じる誘導起電圧を防止できるので、スピーカ１０を加熱コイル１近傍に配置することが可能になり、コンパクトな炊飯器を実現できる。
【０１４９】
（実施の形態４）
図７は、本発明の第４の実施の形態における誘導加熱式炊飯器の主要部の回路構成を示すものである。
【０１５０】
抵抗８１とコンデンサ８２により低周波成分を減衰させるハイパスフィルタ９３を構成し、抵抗８３とコンデンサ８４で高周波成分を減衰させるローパスフィルタ９４を構成している。
【０１５１】
第１の増幅回路は、オペアンプ８５とハイパスフィルタ９３とローパスフィルタ９４から構成され、ＤＡ変換器５３の出力の低周波成分と高周波成分を減衰させるとともに、その他の周波数帯の信号を反転増幅している。
【０１５２】
なお、前記第１の増幅回路の増幅率は、抵抗８１に対する抵抗８３の比率で決定している。
【０１５３】
第２の増幅回路は、オペアンプ８６と抵抗８７と抵抗８８で構成され、前記第一の増幅回路の出力を反転増幅している。
【０１５４】
前記第２の増幅回路の増幅率は、抵抗８７と抵抗８８の比率で決定している。
【０１５５】
なお、本実施の形態では、抵抗８７と抵抗８８の比率は１であり、前記第１の増幅回路の出力を反転させることを目的としている。
【０１５６】
オペアンプ８５の出力端子はスピーカ１０の一方の端子に第１のスピーカ遮断手段８９を介して接続している。
【０１５７】
オペアンプ８６の出力端子はスピーカ１０のもう一方の端子に第２のスピーカ遮断手段９０を介して接続している。
【０１５８】
第１のスピーカ遮断手段８９はスピーカ１０の一方の入力端子に接続し、スピーカ１０の入力端子とグランド電位を接続したり遮断したりする。
【０１５９】
第２のスピーカ遮断手段９０はスピーカ１０のもう一方の入力端子に接続し、スピーカの入力端子とグランド電位を接続したり遮断したりする。
【０１６０】
音声信号出力手段９２を構成するメモリ５２（音声記憶回路）、ＤＡ変換器５３の電源は第３の直流電源９５より供給されている。
【０１６１】
第３の直流電源９５は、図５の炊飯器の第３の直流電源５９と同様にエミッタフォロア回路の構成であるが、出力電圧が約５Ｖとなっている。
【０１６２】
抵抗９６、抵抗９７は、ともに、一方の端子をスピーカ１０の入力端子に接続し、もう一方の端子をグランド電位に接続している。
【０１６３】
抵抗９６と抵抗９７をこのように接続する理由は、第１のスピーカ遮断手段８９と第２のスピーカ遮断手段９０がスピーカ１０とオペアンプ８５、オペアンプ８６の信号経路を遮断したときにスピーカ１０の入力端子がグランド電位で安定し、加熱コイル１の磁界によりスピーカ１０のコイルに誘導起電圧が発生しても抵抗９６、抵抗９７を介して誘導起電圧によるエネルギーを消費できるためである。
【０１６４】
その他の構成については図５の炊飯器の主要回路図と同様であり、具体的説明は実施の形態１，２のものを援用する。
【０１６５】
図７のように二つのオペアンプを用いて、反転増幅をすることで、オペアンプ８５、８６の電源電圧と殆ど同じ電圧をスピーカ１０に印加することが可能となるので、オペアンプ８５、８６の電源電圧を下げて、メモリ５２（音声信号記憶回路）、ＤＡ変換器５３の電源電圧と同じにすることができる。
【０１６６】
従って、音声信号出力手段９２を構成する部品の電源を全てオフすることができるので、省電力化を実現できる。
【０１６７】
また、二つのオペアンプの出力電圧の立ち上がりが殆ど同じになるので、スピーカ１０にオペアンプ８５、８６の電源がオンした時のノイズ音が印加されることがなくなり、使用者に不快感を与えることがない。
【０１６８】
また、ハイパスフィルタ９３とローパスフィルタ９４とオペアンプ８５で第１の増幅回路で構成するので、フィルタ回路分の部品を減らすことができ、コンパクトな音声出力手段を実装できる。
【０１６９】
以上のように、本実施の形態では、二つのオペアンプ８５、８６を用いて電源電圧と殆ど同じ電圧を出力できるようにすることで、音声信号出力手段９２を構成する部品の電源を一つ共通化し、オンオフできるようにしている。
【０１７０】
これにより、音声を出力しない時の省電力化が実現できる。
【０１７１】
また、音声信号出力手段９２の電源がオフしている時に、第１のスピーカ遮断手段８９
と第２のスピーカ遮断手段９０がオンして、スピーカ１０の入力端子を２つともグランド電位に接続するので、スピーカ巻線に発生する誘導起電圧を低減でき、電源をオフしても音声信号出力手段９２を破壊することがなくなり、高信頼性を得ることができる。
【０１７２】
（実施の形態５）
図８は、本発明の第５の実施の形態における誘導加熱式炊飯器の音声出力時の主要部のタイミングチャートを示している。回路構成については図７と同様なので、具体的説明は実施の形態１〜４のものを援用する。
【０１７３】
（１）は商用電源６の電圧波形を示している。
【０１７４】
（２）は商用電源６の０Ｖに同期してハイまたはローを出力する波形を示している（図７には特に図示していない）。
【０１７５】
（３）はスイッチ回路６０のオン（導通）、オフ（遮断）状態を示している。
【０１７６】
（４）は第３の直流電源９５の出力電圧波形を示している。
【０１７７】
（５）は制御手段９から音声信号出力手段９２への送信信号波形を示している。
【０１７８】
（６）は第１のスピーカ遮断手段８９及び第２のスピーカ遮断手段９０のオン（導通）、オフ（遮断）状態を示している。
【０１７９】
（７）はオペアンプ８５の出力電圧波形を示している。
【０１８０】
（８）はオペアンプ８６の出力電圧波形を示している。
【０１８１】
（９）はスピーカ１０の両端電圧波形を示している。
【０１８２】
（１０）はインバータ回路２を構成するＩＧＢＴのオンオフ状態（駆動手段１４のオンオフ状態）を示している。
【０１８３】
本実施の形態の誘導加熱式炊飯器について、図２、図７、図８を用いて、動作、作用を説明する。
【０１８４】
まず、使用者が図２の第一の回路基板３９に備えられたスイッチ（入力手段７）を操作すると、制御手段９が入力手段７の信号を検知する。
【０１８５】
すると、図８のＴ０では、制御手段９は商用電源６のゼロ電圧に同期して、第１のスピーカ遮断手段８９と第２のスピーカ遮断手段９０にオン信号を出力して、スピーカ１０の入力端子とコンデンサ１２の信号経路を導通状態にし、スピーカ１０に信号が入力できるようになる。
【０１８６】
その後、図８のＴ１で、スイッチ回路６０をオン状態にし、第３の直流電源９５を起動し、音声信号出力手段９２へ直流電圧を供給する。この直流電圧の立ち上がり時にオペアンプ８５とオペアンプ８６の出力電圧が変動するが、二つのオペアンプの出力電圧が同じため、スピーカ１０の両端電圧は０Ｖになり、スピーカ１０から音は出力されない。
【０１８７】
なお、第１のスピーカ遮断手段８９と第２のスピーカ遮断手段９０をオフしたままで、オペアンプ８５、オペアンプ８６に電源電圧を入力し、その後、第１のスピーカ遮断手段
８９と第２のスピーカ遮断手段９０をオンしてもスピーカ１０の両端電圧の変動は０Ｖであり、同様の効果を得ることができる。
【０１８８】
その後、図８のＴ２で、制御手段９は商用電源６のゼロ電圧に同期して、音声信号出力手段９２に音量設定データを送信する。
【０１８９】
その後、図８のＴ３で、制御手段９は商用電源６のゼロ電圧に同期して所定の音声データを示したアドレスデータを、音声信号出力手段９２に送信する。
【０１９０】
すると、図８のＴ４で、メモリ５２が制御手段９からの送信データに基づいて、所定の音声のデジタルデータをＤＡ変換器５３に出力し、ＤＡ変換器５３がアナログ電圧に変換された音声信号を出力し、前記第１の増幅回路と前記第２の増幅回路を介して、スピーカ１０に音声信号が入力される。
【０１９１】
スピーカ１０に入力される音声信号は、オペアンプ８５とオペアンプ８６の出力電圧の差分の電圧が入力される。スピーカ１０は音声信号が入力されると、振動し、この振動が音声となって、使用者に音声報知する。
【０１９２】
音声信号が出力されると、第３の直流電源９５の電圧が約０．２Ｖ低下するが、第２の直流電源５８の電圧は変動しないので、制御手段９を構成するＡＤ変換器の基準電圧は変動しない。
【０１９３】
従って、鍋の温度検知、入力電流の検知、商用電源の電圧検知など、ＡＤ変換器を利用した検知手段への影響を防止することができる。
【０１９４】
図８のＴ５では、入力手段７で設定されたメニューに従って、制御手段９が駆動手段１４を介してインバータ回路２を構成するＩＧＢＴのオンオフ制御を開始し、加熱コイル１に高周波電力を供給し、鍋を加熱する。
【０１９５】
図８のＴ６で、音声出力が終了し、第３の直流電源９５の出力電圧が元の値に戻る。
【０１９６】
図８のＴ７では、制御手段９がスイッチ回路６０をオフ状態にし、第１の直流電源１５から第３の直流電源９５への電流経路を遮断し、第３の直流電源９５への電力供給を停止する。
【０１９７】
第３の直流電源９５の出力電圧は徐々に低下していく。この電圧変化がオペアンプを介してスピーカ１０に印加され、ノイズ音となることがある。
【０１９８】
しかし、本実施の形態では、二つのオペアンプ８５、８６の出力電圧は同じであるので、スピーカ１０の両端電圧は変動せず、スピーカ１０からノイズ音は発生しないことになる。
【０１９９】
従って、音声信号出力手段９２の電源をオンオフするときにノイズ音が発生しないことになり、ノイズ音により使用者が不快に感じることを低減できる。
【０２００】
その後、図８のＴ８で、制御手段９が第１のスピーカ遮断手段８９と第２のスピーカ遮断手段９０にオン信号を出力し、第１のスピーカ遮断手段８９がスピーカ１０の一方の入力端子とオペアンプ８５の信号経路を遮断状態にし、第２のスピーカ遮断手段９０がスピーカ１０のもう一方の入力端子とオペアンプ８６の信号経路を遮断状態にする。
【０２０１】
なお、第１のスピーカ遮断手段８９と第２のスピーカ遮断手段９０がない場合、音声信号出力手段９２への電源供給が０Ｖになると、加熱コイル１に高周波電流が流れるときにスピーカ１０に生じる誘導起電圧がオペアンプ８５とオペアンプ８６の電源電圧を超え、オペアンプ８５、８６の保護ダイオードに電流が流れ、図４（３）に示すようにスピーカ１０の誘導起電圧がクランプされた電圧波形がスピーカ１０の端子に出力されるが、第１のスピーカ遮断手段８９と第２のスピーカ遮断手段９０を用いてスピーカ１０の入力端子とオペアンプ８５、オペアンプ８６の信号経路を遮断するので、オペアンプ８５とオペアンプ８６に過大な誘導起電圧が印加するのを防止できる。
【０２０２】
また、抵抗９６、抵抗９７があるので、スピーカ１０に誘導起電力が発生しても、この誘導起電力が抵抗９６、抵抗９７を介して消費されるので、スピーカ１０の両端に発生する電圧は小さくなり、第１のスピーカ遮断手段８９と第２のスピーカ遮断手段９０の最大定格電圧を小さくすることができる。
【０２０３】
また、第３の直流電源９５停止するので、音声信号出力手段９２への電力供給も停止することになり、消費電力が低減し、第１の直流電源１５と、第３の直流電源９５の発熱を抑えることができる。
【０２０４】
また、本実施の形態では、制御手段９は予め、音声データの時間を記憶しているので、その時間から所定時間を経過したら、スイッチ回路６０をオフ状態にし、第１の直流電源１５から第３の直流電源９５への電流経路を遮断するようにしている。
【０２０５】
スイッチ回路６０のオフタイミングを音声データの時間より十分に遅くするのは、音声信号出力手段９２の出力する音声信号の速度にバラツキがあるためである。
【０２０６】
以上のように、第１の増幅回路と第２の増幅回路を用いて音声信号増幅回路を構成する場合、音声信号増幅回路に電源を入力している間は第１のスピーカ遮断手段８９と第２のスピーカ遮断手段９０をオンし、音声信号増幅回路の電源をオフしている間は第１のスピーカ遮断手段８９と第２のスピーカ遮断手段９０をオフしておくことで、加熱コイル１に高周波電流が流れる際にスピーカ１０に生じる誘導起電圧がオペアンプ８５とオペアンプ８６の出力端子に印加するのを低減することができるので、音声信号増幅回路の電源電圧をオフしても、スピーカの誘導起電圧が音声信号増幅回路の最大定格を超えることがなくなり、故障がない省電力化した炊飯器を提供できる。
【０２０７】
（実施の形態６）
図９は、本発明の第６の実施の形態における誘導加熱式炊飯器の音声出力時の主要部のタイミングチャートを示している。回路構成については図７と同様なので、ここでの説明は先の実施の形態のものを援用する。
【０２０８】
（１）は商用電源６の電圧波形を示している。
【０２０９】
（２）は商用電源６の０Ｖに同期してハイまたはローを出力する波形を示している（図７には特に図示していない）。
【０２１０】
（３）はスイッチ回路６０のオン（導通）、オフ（遮断）状態を示している。
【０２１１】
（４）は第３の直流電源９５の出力電圧波形を示している。
【０２１２】
（５）は制御手段９から音声信号出力手段９２への送信信号波形を示している。
【０２１３】
（６）は第１のスピーカ遮断手段８９と第２のスピーカ遮断手段９０のオン（導通）、オフ（遮断）状態を示している。
【０２１４】
（７）はオペアンプ８５の出力電圧波形を示している。
【０２１５】
（８）はオペアンプ８６の出力電圧波形を示している。
【０２１６】
（９）はスピーカ１０の両端電圧波形を示している。
【０２１７】
（１０）はインバータ回路２を構成するＩＧＢＴのオンオフ状態（駆動手段１４のオンオフ状態）を示している。
【０２１８】
本実施の形態の誘導加熱式炊飯器について、図２、図９、図９を用いて、動作、作用を説明する。
【０２１９】
まず、図９では、すでに使用者が図２の第一の回路基板３９に備えられたスイッチ（入力手段７）を操作し、所定の炊飯動作を行っている。
【０２２０】
つまり、制御手段９が駆動手段１４を介してインバータ回路２を制御し、加熱コイル１に高周波電流を供給し、鍋を誘導加熱している状態である。以上の状態で、使用者が入力手段７を構成するスイッチを押したものとする。
【０２２１】
すると、図９のＴ０では、制御手段９は商用電源６のゼロ電圧に同期して、第１のスピーカ遮断手段８９と第２のスピーカ遮断手段９０にオン信号を出力して、スピーカ１０の入力端子とオペアンプ８５とオペアンプ８６の信号経路を導通状態にし、スピーカ１０に信号が入力できるようになる。
【０２２２】
その後、図９のＴ１で、スイッチ回路６０をオン状態にし、第３の直流電源９５を起動し、音声信号出力手段９２へ直流電圧を供給する。この直流電圧の立ち上がり時にオペアンプ８５とオペアンプ８６の出力電圧が変動するが、二つのオペアンプの出力電圧が同じため、スピーカ１０の両端電圧は０Ｖになり、スピーカ１０から音は出力されない。
【０２２３】
その後、図９のＴ２で、制御手段９は商用電源６のゼロ電圧に同期して、音声信号出力手段９２に音量設定データを送信する。
【０２２４】
この時、制御手段９は駆動手段１４にオフ信号を出力し、インバータ回路２の動作を停止する。
【０２２５】
制御手段９が音声信号出力手段９２に音量設定データを送信し終わると、図９のＴ３で、制御手段９は商用電源６のゼロ電圧に同期して、駆動手段１４にオンオフ信号を出力し再びインバータ回路２の動作を開始する。
【０２２６】
その後、図９のＴ４で、制御手段９は商用電源６のゼロ電圧に同期して所定の音声データを示したアドレスデータを、音声信号出力手段９２に送信する。この時、制御手段９は駆動手段１４にオフ信号を出力し、インバータ回路２の動作を停止する。
【０２２７】
すると、図９のＴ５で、メモリ５２が制御手段９からの送信データに基づいて、所定の音声のデジタルデータをＤＡ変換器５３に出力し、ＤＡ変換器５３がアナログ電圧に変換された音声信号を出力し、前記第１の増幅回路と前記第２の増幅回路を介して、スピーカ１０に音声信号が入力される。
【０２２８】
スピーカ１０に入力される音声信号は、オペアンプ８５とオペアンプ８６の出力電圧の差分の電圧が入力される。
【０２２９】
スピーカ１０は音声信号が入力されると、振動し、この振動が音声となって、使用者に音声報知する。
【０２３０】
音声信号が出力されると、第３の直流電源９５の電圧が約０．２Ｖ低下するが、第２の直流電源５８の電圧は変動しないので、制御手段９を構成するＡＤ変換器の基準電圧は変動しない。
【０２３１】
従って、鍋の温度検知、入力電流の検知、商用電源の電圧検知など、ＡＤ変換器を利用した検知手段への影響を防止することができる。
【０２３２】
図９のＴ６では、制御手段９は商用電源６のゼロ電圧に同期して、駆動手段１４にオンオフ信号を出力し再びインバータ回路２の動作を開始する。
【０２３３】
図９のＴ７で、音声出力が終了し、第３の直流電源９５の出力電圧が元の値に戻る。
【０２３４】
図９のＴ８では、制御手段９がスイッチ回路６０をオフ状態にし、第１の直流電源１５から第３の直流電源９５への電流経路を遮断し、第３の直流電源９５への電力供給を停止する。
【０２３５】
第３の直流電源９５の出力電圧は徐々に低下していく。この電圧変化がオペアンプを介してスピーカ１０に印加され、ノイズ音となることがある。
【０２３６】
しかし、本実施の形態では、二つのオペアンプ８５、８６の出力電圧は同じであるので、スピーカ１０の両端電圧は変動せず、スピーカ１０からノイズ音は発生しないことになる。
【０２３７】
従って、音声信号出力手段９２の電源をオンオフするときにノイズ音が発生しないことになり、ノイズ音により使用者が不快に感じることを低減できる。
【０２３８】
その後、図９のＴ９で、制御手段９が第１のスピーカ遮断手段８９と第２のスピーカ遮断手段９０にオフ信号を出力し、第１のスピーカ遮断手段８９と第２のスピーカ遮断手段９０がスピーカ１０の入力端子とオペアンプ８５、オペアンプ８６の信号経路を遮断状態にする。
【０２３９】
なお、第１のスピーカ遮断手段８９と第２のスピーカ遮断手段９０がない場合、音声信号出力手段９２への電源供給が０Ｖになると、加熱コイル１に高周波電流が流れるときにスピーカ１０に生じる誘導起電圧がオペアンプ８５とオペアンプ８６の電源電圧を超え、オペアンプ８５、８６の保護ダイオードに電流が流れ、図４（３）に示すようにスピーカ１０の誘導起電圧がクランプされた電圧波形がスピーカ１０の端子に出力されるが、第１のスピーカ遮断手段８９と第２のスピーカ遮断手段９０を用いてスピーカ１０の入力端子とオペアンプ８５、オペアンプ８６の信号経路を遮断すると、オペアンプ８５とオペアンプ８６の出力端子に過大な誘導起電圧が印加するのを防止できる。
【０２４０】
また、第３の直流電源９５が停止するので、音声信号出力手段９２への電力供給も停止することになり、消費電力が低減し、第１の直流電源１５と、第３の直流電源９５の発熱を抑えることができる。
【０２４１】
また、本実施の形態では、制御手段９は予め、音声データの時間を記憶しているので、その時間から所定時間を経過したら、スイッチ回路６０をオフ状態にし、第１の直流電源１５から第３の直流電源９５への電流経路を遮断するようにしている。スイッチ回路６０のオフタイミングを音声データの時間より十分に遅くするのは、音声信号出力手段９２の出力する音声信号の速度にバラツキがあるためである。
【０２４２】
以上のように、本実施の形態の炊飯器では、制御手段９が音声信号出力手段９２に信号を送信するときにインバータ回路２の動作を停止するので、インバータ回路２が動作したときのノイズが送信信号に重畳するのを防ぐことができ、確実に所定の音声を出力することができる。
【産業上の利用可能性】
【０２４３】
以上のように、本発明にかかる誘導加熱式炊飯器は、スピーカの巻線に発生する誘導起電圧が音声出力手段を破壊することを防止し、音声出力手段の電源をオフすることが可能となるので、誘導加熱式調理器等の用途にも適用できる。
【図面の簡単な説明】
【０２４４】
【図１】本発明の実施の形態１における炊飯器の主要部回路図
【図２】本発明の実施の形態１〜６における炊飯器の模式的な断面図
【図３】本発明の実施の形態１における炊飯器の音声出力時のタイミングチャート
【図４】本発明の実施の形態１における炊飯器の主要部動作波形図
【図５】本発明の実施の形態２、３における炊飯器の主要部回路図
【図６】本発明の実施の形態３における炊飯器の音声出力時のタイミングチャート
【図７】本発明の実施の形態４、５、６における炊飯器の主要部回路図
【図８】本発明の実施の形態５における炊飯器の音声出力時のタイミングチャート
【図９】本発明の実施の形態６における炊飯器の音声出力時のタイミングチャート
【符号の説明】
【０２４５】
１  加熱コイル
２  インバータ回路
９  制御手段
１０  スピーカ
１１  音声信号出力手段
１２  コンデンサ
１３  スピーカ遮断手段
１７  スイッチ回路
【図１】
2010022446.tif 000003
【図２】
2010022446.tif 000004
【図３】
2010022446.tif 000005
【図４】
2010022446.tif 000006
【図５】
2010022446.tif 000007
【図６】
2010022446.tif 000008
【図７】
2010022446.tif 000009
【図８】
2010022446.tif 000010
【図９】
2010022446.tif 000011